(57)【要約】  本開示の実施例は、ビデオ処理方法、装置、端末及び記憶媒体を開示している。該方法は、ユーザが撮影したビデオを取得して、前記ビデオがオリジナルオディオに基づいて撮影したオリジナルビデオである場合に、前記オリジナルビデオをマーキングすることと、マーキングに基づいて、オリジナルビデオに対してデータ分離を行い、オリジナルビデオにおけるオリジナルオディオを抽出することと、を含め、抽出されたオリジナルオディオは、他のユーザがビデオ撮影を行うために用いられる。
2021530905.tif 000002
【特許請求の範囲】
【請求項１】
ユーザが撮影したビデオを取得して、前記ビデオがオリジナルオディオに基づいて撮影したオリジナルビデオである場合に、前記オリジナルビデオをマーキングすることと、
前記マーキングに応じて、前記オリジナルビデオに対してデータ分離を行い、前記オリジナルビデオにおけるオリジナルオディオを抽出することと、を含み、
前記抽出されたオリジナルオディオは、他のユーザがビデオ撮影を行うために用いられるビデオ処理方法。
【請求項２】
前記オリジナルビデオをマーキングすることは、
前記オリジナルビデオのファイルに所定のフィールドを追加することで、前記オリジナルビデオをマーキングすることを含む請求項１に記載の方法。
【請求項３】
前記マーキングに応じて、前記オリジナルビデオに対してデータ分離を行い、前記オリジナルビデオにおけるオリジナルオディオを抽出することは、
マーキングされたオリジナルビデオ及びデータ分離請求をビデオ配信画面によってサーバへ送信することを含み、
前記データ分離請求は、前記マーキングに応じて前記オリジナルビデオに対してデータ分離を行い、前記オリジナルビデオにおけるオリジナルオディオを抽出することを、前記サーバに対して指示するためのものである請求項１又は２に記載の方法。
【請求項４】
前記マーキングに応じて、前記オリジナルビデオに対してデータ分離を行い、前記オリジナルビデオにおけるオリジナルオディオを抽出した後、
前記抽出されたオリジナルオディオを所定の位置に記憶させることをさらに含み、
前記所定の位置は、サーバの記憶空間又はクラウド記憶空間を含む請求項１又は２に記載の方法。
【請求項５】
ユーザが撮影したビデオを取得する前に、
クライアント端末から送信されたビデオ撮影要求に応答して、撮影すべきビデオのビデオタイプを特定することと、
ビデオを撮影するように、前記ビデオタイプに基づいて、ビデオ撮影画面を表示することと、をさらに含み、
前記ビデオタイプは、オリジナルビデオを含む請求項１〜４のいずれか１項に記載の方法。
【請求項６】
ビデオを撮影した後、撮影したビデオのビデオ時間長を特定することと、
前記ビデオ時間長が所定の時間長の閾値を超過しなければ、前記撮影したビデオを放棄することと、
前記ビデオ時間長が所定の時間長の閾値を超過すれば、前記撮影したビデオを記憶することと、をさらに含む請求項５に記載の方法。
【請求項７】
前記オリジナルビデオをマーキングする前に、
認証情報に応じて前記オリジナルビデオをマーキングするように、前記オリジナルビデオの前記認証情報を取得することをさらに含む請求項１〜６のいずれか１項に記載の方法。
【請求項８】
端末に配置されたビデオ処理装置であって、
ユーザが撮影したビデオを取得して、前記ビデオがオリジナルオディオに基づいて撮影したオリジナルビデオである場合に、前記オリジナルビデオをマーキングするように設置されたマーキングモジュールと、
前記マーキングに応じて、前記オリジナルビデオに対してデータ分離を行い、前記オリジナルビデオにおけるオリジナルオディオを抽出するように設置された分離モジュールと、を備え、
前記抽出されたオリジナルオディオは、他のユーザがビデオ撮影を行うために用いられるビデオ処理装置。
【請求項９】
少なくとも１つのプロセッサと、
少なくとも１つのプログラムを記憶するように設置されたメモリと、を備え、
前記少なくとも１つのプログラムが前記プロセッサに実行されると、前記少なくとも１つのプロセッサが請求項１〜７のいずれか１項に記載のビデオ処理方法を実現する端末。
【請求項１０】
コンピュータプログラムが記憶され、
前記コンピュータプログラムがプロセッサに実行されるとき、請求項１〜７のいずれか１項に記載のビデオ処理方法を実現するコンピュータ読み取り可能な記憶媒体。
【発明の詳細な説明】
【技術分野】
【０００１】
本出願は、２０１８年０７月１２日付で中国専利局に出願された、出願番号２０１８１０７６５２０７.６の中国特許出願の優先権を要求し、当該出願の内容の全てをここに参照として取り込まれる。
【０００２】
本開示の実施例はインターネット技術分野に関し、例えば、ビデオ処理方法、装置、端末及び記憶媒体に関する。
【背景技術】
【０００３】
インターネット技術の発展につれて、ビデオインタラクトアプリケーションが人々の日常生活において非常に流行っている。
【０００４】
ビデオインタラクトアプリケーションを提供するインターネット企業に対して、ユーザの必要を満たし、ユーザに満足できる製品体験を提供することは、企業競争力を維持するのに無視できない重要な要素である。ところが、ビデオインタラクトアプリケーションサービスを提供するインターネット企業において、ユーザが撮影したビデオに対して十分な管理及び利用が行われていなかった。
【０００５】
また、ユーザにとって、携帯アプリケーションを利用してビデオを撮影する中、直接に撮影するか、又は個人の好みによって既存の楽曲からＢＧＭ（背景音楽）を選択して撮影するため、ユーザによる撮影要素の選択は非常に限られている。
【発明の概要】
【課題を解決するための手段】
【０００６】
本開示の実施例は、ユーザが撮影したビデオを十分に管理及び利用し、ビデオ撮影に用いられる要素を充実させる効果を奏するように、ビデオ処理方法、装置、端末及び記憶媒体を提供する。
【０００７】
本開示の実施例は、ビデオ処理方法を提供しており、該方法は、
ユーザが撮影したビデオを取得して、前記ビデオがオリジナルオディオに基づいて撮影したオリジナルビデオである場合に、前記オリジナルビデオをマーキングすることと、
前記マーキングに応じて、前記オリジナルビデオに対してデータ分離を行い、前記オリジナルビデオにおけるオリジナルオディオを抽出することと、を備え、
前記抽出された原始音声は、他のユーザがビデオ撮影を行うために用いられる。
【０００８】
本開示の実施例は、端末に配置されたビデオ処理装置をさらに提供しており、該装置は、
ユーザが撮影したビデオを取得して、前記ビデオがオリジナルオディオに基づいて撮影したオリジナルビデオである場合に、前記オリジナルビデオをマーキングするように設置されたマーキングモジュールと、
前記マーキングに応じて、前記オリジナルビデオに対してデータ分離を行い、前記オリジナルビデオにおけるオリジナルオディオを抽出するように設置された分離モジュールと、を備え、
前記抽出されたオリジナルオディオは、他のユーザがビデオ撮影を行うために用いられる。
【０００９】
本開示の実施例は、端末をさらに提供しており、該端末は、
１つ又は複数のプロセッサと、
１つ又は複数のプログラムを記憶するように設置されたメモリと、を備え、
前記１つ又は複数のプログラムが前記１つ又は複数のプロセッサに実行されると、前記１つ又は複数のプロセッサが本開示のいずれかの実施例に記載のビデオ処理方法を実現する。
【００１０】
本開示の実施例は、コンピュータプログラムが記憶されているコンピュータ読み取り可能な記憶媒体をさらに提供し、
該プログラムがプロセッサに実行されるとき、本開示のいずれかの実施例に記載されたビデオ処理方法を実現する。
【００１１】
本開示の実施例は、まず、ユーザが撮影したビデオを取得して、ビデオがオリジナルオディオに基づいて撮影したオリジナルビデオである場合に、オリジナルビデオに対してマーキングを行い、次にマーキングに基づいて、オリジナルビデオに対してデータ分離を行い、オリジナルビデオにおけるオリジナルオディオを抽出する。抽出されたオリジナルオディオが他のユーザがビデオ撮影を行うために用いられることで、インターネット企業がユーザの撮影したビデオに対して十分な管理及び利用に不足があるという課題、及びユーザによる撮影要素の選択は限られているという課題が解決される。ユーザが撮影したビデオに対する十分な管理と利用を実現するだけではなく、ユーザが撮影したオリジナルビデオからオリジナルオディオを抽出する効果を奏し、同時にビデオ撮影に用いられる要素を充実させる効果を奏する。
【図面の簡単な説明】
【００１２】
【図１】本開示の実施例に係るビデオ処理方法のフローチャートである。
【図２】本開示の実施例に係る別のビデオ処理方法のフローチャートである。
【図３ａ】本開示の実施例に係る、認証するか否かのフローティングアイコンが表示されるビデオ表示画面の模式図である。
【図３ｂ】本開示の実施例に係るクライアント端末におけるユーザメッセージ画面の模式図である。
【図４】本開示の実施例に係るさらに別のビデオ処理方法のフローチャートである。
【図５】本開示の実施例に係る、ビデオ撮影画面からビデオ配信画面へ切り替える模式図である。
【図６】本開示の実施例に係る、オリジナルオディオを抽出するとき、端末とサーバとのインタラクトの模式図である。
【図７】本開示の実施例に係るビデオ処理装置の構成模式図である。
【図８】本開示の実施例に係る端末のハードウェアの構成模式図である。
【発明を実施するための形態】
【００１３】
次に、図面と実施例を参照しながら本開示について説明する。ここに記載された具体的な実施例は本開示を説明するためのものに過ぎず、本開示を限定するものではない。また、説明の便宜上、図面には、全ての構成ではなく、本開示に関連する部分のみが示されている。
【００１４】
図１は、本開示の実施例に係るビデオ処理方法のフローチャートである。本実施例は、ユーザが撮影したビデオに対して処理を行う場合に応用可能である。該方法は、対応のビデオ処理装置によって実行され可能である。該装置は、ソフトウェア及び/或いはハードウェアの形態によって実現することができ、ネットワーク通信機能を有する任意の端末に配置可能であり、例えば、スマートフォン、タブレット等。
【００１５】
図１に示すように、本開示の実施例に係るビデオ処理方法は、以下のようなステップを含めてもよい。
【００１６】
Ｓ１１０：ユーザが撮影したビデオを取得して、ビデオがオリジナルオディオに基づいて撮影したオリジナルビデオである場合に、オリジナルビデオをマーキングする。
【００１７】
ユーザは、端末におけるビデオインタラクトアプリケーションのクライアントアプリケーションを起動して、ビデオ撮影を行うことができる。もし、撮影する前に、ユーザがＢＧＭとして既存楽曲等の非オリジナルオディオを選択すると、撮影により非オリジナルビデオが得られる。ユーザによる撮影が完了した後、端末がユーザの撮影したビデオを取得して、ユーザがＢＧＭを選択する操作をマーキングする、又はユーザが選択したＢＧＭを識別することで、ユーザの現在に撮影したビデオがオリジナルビデオであるかを特定することができる。例えば、端末は、マーキングプログラムを呼び出して、まず、ユーザがＢＧＭを選択する操作を行ったかどうかについてマーキングすることができる。ユーザがＢＧＭを選択しなかった場合、ユーザによる撮影が完了した後、取得したオリジナルビデオを直接にマーキングする。或いは、ユーザによる撮影が完了した後、端末が識別プログラムを呼び出して、ユーザの撮影したビデオにおけるＢＧＭを識別し、該ビデオがオリジナルビデオであるかを特定する。オリジナルビデオであれば、マーキングされたビデオに対して後続にデータ分離を行いやすいように、該オリジナルビデオをマーキングする。
【００１８】
ビデオ撮影完了後、いずれもビデオフォーマットで所定の領域に記憶されることを考慮すると、マーキングによってユーザの撮影したビデオを、オリジナルビデオと非オリジナルビデオの２種類に分類することができる。このようにして、端末は異なるタイプのビデオを管理、操作しやすくなる。
【００１９】
ある実施例において、オリジナルビデオに対してマーキングすることは、オリジナルビデオのファイルに所定のフィールドを追加することで、オリジナルビデオをマーキングすることを含む。
【００２０】
ある実施例において、ユーザが撮影したビデオを取得して、オリジナルビデオをマーキングすることは、ビデオ撮影が完了してからデータ記憶の途中において、端末が対応するオリジナルビデオファイルに所定のフィールドを追加してもよい。端末は、区別するように、原始音声オディオと非原始音声オディオのファイルのそれぞれに異なる所定のフィールドを追加してもよく、同様にオリジナルビデオをマーキングする効果を奏することができる。ある実施例では、所定のフィールドを追加する位置は、ファイルヘッダであってもよい。そして、所定のフィールドの形態は、クライアント端末の設定ウィンドウにおいて予め設定されてもよく、クライアント端末のバックグラウンドシステムにおいて開発者によって予め設定されてもよい。
【００２１】
Ｓ１２０：マーキングに応じて、オリジナルビデオに対してデータ分離を行い、オリジナルビデオにおけるオリジナルオディオを抽出する。抽出されたオリジナルオディオは、他のユーザがビデオ撮影を行うために用いられる。
【００２２】
端末は、マーキングに応じて、オリジナルビデオと非オリジナルビデオとの区分を実現する。さらにオリジナルビデオに対してデータ分離を行い、オリジナルビデオにおけるオリジナルオディオを抽出して、オディオフォーマットで記憶する。抽出されたオリジナルオディオは、データ共有することによって、他のユーザのビデオ撮影のＢＧＭとされることができる。このように、ユーザがビデオを撮影する過程で、ＢＧＭの選択が既存楽曲などのオディオに限られることがなく、撮影要素に対するユーザの選択性を向上させる。また、インターネット企業にとって、ユーザが撮影したオリジナルビデオに対するデータ分離を行い、オリジナルオディオを取得することは、ユーザが撮影したビデオに対して十分な管理及び利用を行うことができるだけではなく、既存のオディオデータベースを拡充することもできる。本実施例において、データ分離について、オリジナルオディオを抽出することの実現は、ビデオインタラクトアプリケーションのクライアント端末において端末のオディオ抽出ツールを呼び出すことで実現してもよく、ビデオインタラクトアプリケーションのクライアント端末に埋め込まれたオディオ抽出ツールにより実現してもよい。本実施例では、これに対して特に限定されない。
【００２３】
本実施例の技術案は、ユーザが撮影したビデオを取得して、ビデオがオリジナルオディオに基づいて撮影したオリジナルビデオである場合に、オリジナルビデオに対してマーキングを行い、次にマーキングに基づいて、オリジナルビデオに対してデータ分離を行い、オリジナルビデオにおけるオリジナルオディオを抽出する。抽出されたオリジナルオディオは、他のユーザがビデオ撮影を行うために用いられることで、インターネット企業がユーザの撮影したビデオに対して十分な管理及び利用に不足があるという課題、及びユーザによる撮影要素の選択が非常に限られているという課題を解決した。ユーザが撮影したビデオに対する十分な管理と利用を実現するだけではなく、ユーザが撮影したオリジナルビデオからオリジナルオディオを抽出する効果も奏するとともに、ビデオ撮影に用いられる要素を充実させる効果も奏する。さらに、ユーザの撮影要素に対する選択性を向上させる。
【００２４】
図２は、本開示の実施例に係る別のビデオ処理方法のフローチャートである。本実施例について、上記実施例を基礎として説明する。図２に示すように、該方法は、以下のステップを含めてもよい。
【００２５】
Ｓ２１０：ユーザが撮影したビデオを取得する。
【００２６】
Ｓ２２０：ビデオにおける、オリジナルオディオに基づいて撮影したオリジナルビデオの認証情報を取得する。
【００２７】
本実施例おいて、ユーザが撮影したオリジナルビデオに対してデータ分離を行い、オリジナルビデオにおけるオリジナルオディオを抽出することだけが必要であることを考慮するため、ユーザが撮影したビデオを取得した後、オリジナルビデオに対するユーザの認証の情報のみ考慮すればよい。
【００２８】
端末が、ユーザが撮影したオリジナルビデオを取得した後、オリジナルビデオに対するユーザの認証を取得することが必要である。即ち、ユーザの認証許可を取得した場合のみ、オリジナルビデオをマーキングすること及び原始音声を抽出することが可能になる。ある実施例において、ユーザの認証を取得する形態は、オリジナルビデオ撮影完了後の表示画面において認証するか否かの提示メッセージをユーザにプッシュしてもよい。例示的に、図３ａに示すように、オリジナルビデオを認証するか否かの提示メッセージがフローティングアイコンの形態で、オリジナルビデオの表示画面に表示される。ユーザが、「はい」を選択すると認証に同意することを表し、「いいえ」を選択すると認証に同意しないことを表す。別の実施例において、クライアント端末のユーザメッセージ画面においてユーザに認証するか否かのメッセージをユーザへ送信して、ユーザの返信メッセージを取得することによってユーザが認証に同意するか否かを確認してもよい。例示的に、図３ｂに示すように、クライアント端末のユーザメッセージ画面において、認証するか否かをユーザに尋ねるメッセージが表示され、ユーザがダイアログボックスにおいて「同意する」又は「同意しない」を選択して返信することができる。
【００２９】
端末は、ユーザのフィードバックに応じて、取得したオリジナルビデオをマーキングするか否かを確認する。
【００３０】
Ｓ２３０：取得した認証情報に応じて、オリジナルビデオをマーキングする。
【００３１】
端末がユーザの認証情報を取得したら、ユーザが撮影したオリジナルビデオをマーキングすることができる。
【００３２】
Ｓ２４０：マーキングに応じて、オリジナルビデオに対してデータ分離を行い、オリジナルビデオにおけるオリジナルオディオを抽出する。抽出されたオリジナルオディオは、他のユーザがビデオ撮影を行うために用いられる。
【００３３】
Ｓ２５０：抽出されたオリジナルオディオを所定の位置に記憶する。所定の位置は、サーバの記憶空間又はクラウド記憶空間を含む。
【００３４】
端末は、抽出されたオリジナルオディオをサーバの記憶空間又はクラウド記憶空間に記憶させる。異なるユーザがクライアント端末にログインすると、ネットワーク通信を通じて該オリジナルオディオに対する共有を実現でき、該オリジナルオディオに基づいて同じタイプのビデオ撮影を行うことができる。
【００３５】
本開示の実施例に係る技術案は、まず、ユーザが撮影したオリジナルビデオ及び該ビデオの認証情報を取得して、次に認証情報に応じてオリジナルビデオをマーキングして、最後にマーキングに応じて、オリジナルビデオからオリジナルオディオを抽出し、所定の位置に記憶させる。ユーザが撮影したビデオに対する十分な管理と利用に不足があるという課題、および撮影要素に対するユーザの選択が限られるという課題を解決した。ユーザが撮影したビデオに対する十分な管理と利用を実現するだけではなく、ユーザが撮影したオリジナルビデオからオリジナルオディオを抽出する効果も奏するとともに、ビデオ撮影に用いられる要素を充実させる効果も奏する。ここで、認証情報を取得することによって、ユーザが撮影したオリジナルビデオにおけるオリジナルオディオが他のユーザに使用される場合に係る著作権トラブル問題が回避される。オリジナルオディオを記憶することは、他のユーザがビデオを撮影するときにＢＧＭに対する選択性、及び該オリジナルオディオの利用便宜性を向上させる。
【００３６】
図４は、本開示の実施例に係るさらに別のビデオ処理方法のフローチャートである。本実施例について、上記実施例を基礎として説明する。図４に示すように、該方法は、以下のステップを含めてもよい。
【００３７】
Ｓ３１０：クライアント端末から送信されたビデオ撮影要求に応答して、撮影すべきビデオのビデオタイプを特定する。ビデオタイプは、オリジナルビデオを含む。
【００３８】
ユーザは、端末においてビデオインタラクトアプリケーションを起動して、クライアント端末の画面における撮影アイコンをトリガすることで、ビデオ撮影要求を送信することができる。ある実施例において、トリガ操作は、タッチ又はスライドを含む。端末は、ユーザからのビデオ撮影要求に応答して、ユーザがＢＧＭの選択を行うか否かを判断し、撮影すべきビデオのタイプを特定する。ユーザがＢＧＭを選択していないと判断した場合、撮影すべきビデオのタイプはオリジナルビデオと特定する。
【００３９】
Ｓ３２０：ビデオを撮影するように、特定されたビデオタイプに基づいて、ビデオ撮影画面を表示する。
【００４０】
ユーザがオリジナルビデオを撮影しようとすると特定した場合、クライアント端末の現在画面からビデオ撮影画面へ切り替え、ユーザがオリジナルビデオを撮影することができるようになる。
【００４１】
Ｓ３３０：ビデオを撮影した後、撮影したビデオのビデオ時間長を特定する。
【００４２】
本実施例において、ユーザが撮影したビデオの時間長は、一定の時間長を満たす場合に撮影操作が有効になるため、一定の時間長を満たす必要がある。このため、ユーザによる撮影が完了した後、端末は、時間長検知プログラムを呼び出して、ユーザが撮影したビデオのビデオ時間長を特定する必要がある。
【００４３】
Ｓ３４０：撮影したビデオの時間長と所定の時間長の閾値との関係を判断する。
【００４４】
ビデオ時間長が所定の時間長の閾値を超過しなければ、操作Ｓ３５０を実行して、撮影したビデオを放棄する。ビデオ時間長が所定の時間長の閾値を超過すれば、操作Ｓ３６０を実行して、撮影したビデオを保存する。
【００４５】
Ｓ３５０：撮影したビデオを放棄する。
【００４６】
所定の時間長の閾値は、異なるクライアント端末又は撮影シーンによって決定してもよい。例えば、３秒と設置してもよい。撮影したビデオのビデオ時間長が短すぎると、撮影は無効であり、端末は、後続のデータ分離操作も行わない。この場合、ユーザがビデオ撮影請求を再送信する際に対応の処理を行うように、再び操作Ｓ３１０に戻ってもよい。
【００４７】
Ｓ３６０：撮影したビデオを保存する。
【００４８】
撮影したビデオのビデオ時間長が所定の時間長の閾値を超過すれば、即ちビデオ撮影要求を満たすことができれば、端末は、後続のデータ分離操作を行うように、撮影したビデオを保存してもよい。
【００４９】
Ｓ３７０：撮影したビデオを取得して、撮影したビデオがオリジナルオディオに基づいて撮影したオリジナルビデオである場合に、オリジナルビデオをマーキングする。
【００５０】
本実施例においても、ユーザが撮影したオリジナルビデオにおけるオリジナルオディオが他のユーザに使用される場合に係る著作権トラブル問題を回避するように、同様に、オリジナルビデオをマーキングする前に、認証情報を取得する必要がある。
【００５１】
Ｓ３８０：マーキングされたオリジナルビデオ及びデータ分離請求を、ビデオ配信画面によってサーバへ送信する。データ分離請求は、マーキングに応じてオリジナルビデオに対してデータ分離を行い、オリジナルビデオにおけるオリジナルオディオを抽出することを、サーバに対して指示するためのものである。
【００５２】
ビデオ撮影画面からビデオ配信画面への切り替えは、ユーザがビデオ撮影画面における切り替えタグをトリガすることで実現することができる。例えば、該切り替えタグは、ビデオ撮影画面の右下側に設置され、ユーザが次の操作を行うように提示する「次に」の表示アイコンであってもよく、ビデオ撮影画面の右下側において「配信へ」の文字が直接表示されている表示アイコンであってもよい。
【００５３】
例示的に、図５が示すように、ユーザがビデオ撮影画面において撮影タグをトリガすることで、ビデオ撮影を行う。ビデオ撮影が完了した後、切り替えタグをトリガすることで、ビデオ撮影画面からビデオ配信画面へ切り替える。ビデオ撮影画面において、ユーザは、関連の文字を入力することを選択することができる。最後に画面の下方の配信タグをトリガすることで、ビデオをサーバへ送信する操作を完了するとともに、データ分離請求をサーバへ送信する。
【００５４】
サーバが、端末から送信された、マーキング付きのオリジナルビデオ及びデータ分離請求を受信すると、マーキングに応じてオリジナルビデオを確認して、次に、オディオ抽出ツールを呼び出して、例えば、ＦＦｍｐｅｇ（Ｆａｓｔ  Ｆｏｒｗａｒｄ  Ｍｏｖｉｎｇ  Ｐｉｃｔｕｒｅ  Ｅｘｐｅｒｔｓ  Ｇｒｏｕｐ）ツールのオディオ抽出機能を呼び出して、オリジナルビデオにおけるオリジナルオディオを抽出して、オディオフォーマットでオリジナルオディオデータベースに保存することで、異なるクライアント端末に提供できるようにする。
【００５５】
図６に示すように、サーバ５０１は、同時に複数の端末５０２と通信を維持できる。複数の端末５０２から送信されたマーキング付きのオリジナルビデオを受信して、データ分離によってオリジナルビデオにおけるオリジナルオディオを抽出して、次に、異なる端末５０２におけるクライアント端末の、抽出されたオリジナルオディオに対する使用要求に応じて、オリジナルオディオを異なる端末５０２へ送信する。
【００５６】
本開示の実施例に係る技術案は、まず、ビデオ撮影要求に応答して撮影すべきビデオタイプを特定して、その後、撮影画面に進む。撮影完了後に、撮影したビデオのビデオ時間長を特定して、後続のビデオのマーキングとオリジナルオディオの分離操作を行うか否かを判断する。ここで、撮影したビデオのビデオ時間長が所定の時間長の閾値を超過していると確認したら、ビデオのマーキングを行う。最後に、マーキングされたビデオをサーバへ送信して、オリジナルオディオの分離を行う。インターネット企業がユーザの撮影したビデオに対して十分な管理及び利用に不足があるという課題、及びユーザによる撮影要素の選択が限られているという課題を解決した。ユーザが撮影したビデオに対する十分な管理と利用を実現するだけではなく、ユーザが撮影したオリジナルビデオからオリジナルオディオを抽出する効果も奏するとともに、ビデオ撮影に用いられる要素を充実させる効果も奏する。
【００５７】
図７は、本開示の実施例に係るビデオ処理装置の構成模式図である。本実施例は、ユーザが撮影したビデオに対して処理を行う場合に応用可能である。該ビデオ処理装置は、ソフトウェア及び/或いはハードウェアの形態によって実現することができ、ネットワーク通信機能を有する任意の端末に配置可能である。
【００５８】
図７に示すように、本開示の実施例に係るビデオ処理装置は、マーキングモジュール４０１と、分離モジュール４０２とを備えてもよい。本実施例において、マーキングモジュール４０１は、ユーザが撮影したビデオを取得して、ビデオがオリジナルオディオに基づいて撮影したオリジナルビデオである場合に、オリジナルビデオをマーキングするように設置された。分離モジュール４０２は、マーキングに応じて、オリジナルビデオに対してデータ分離を行い、オリジナルビデオにおけるオリジナルオディオを抽出するように設置された。抽出されたオリジナルオディオは、他のユーザがビデオ撮影を行うために用いられる。
【００５９】
ある実施例において、マーキングモジュール４０１は、以下のような方式によってオリジナルビデオをマーキングする。オリジナルビデオのファイルに所定のフィールドを追加することで、オリジナルビデオをマーキングする。
【００６０】
ある実施例において、分離モジュール４０２は、マーキングされたオリジナルビデオ及びデータ分離請求をビデオ配信画面によってサーバへ送信するように設置された。データ分離請求は、マーキングに応じてオリジナルビデオに対してデータ分離を行い、オリジナルビデオにおけるオリジナルオディオを抽出することを、サーバに対して指示するためのものである。
【００６１】
ある実施例において、該装置は、抽出されたオリジナルオディオを所定の位置に記憶させるように設置されたオリジナル記憶モジュール４０４をさらに備える。所定の位置は、サーバの記憶空間又はクラウド記憶空間を含む。
【００６２】
ある実施例において、該装置は、クライアント端末から送信されたビデオ撮影要求に応答して、撮影すべきビデオのビデオタイプを特定するように設置されたビデオタイプ特定モジュール４０５と、所望のビデオを撮影するように、特定されたビデオタイプに基づいてビデオ撮影画面を表示するように設置された撮影モジュール４０６と、をさらに備える。ここで、ビデオタイプは、オリジナルビデオを含む。
【００６３】
ある実施例において、上記技術案を基礎として、該装置は、ビデオを撮影した後、撮影したビデオのビデオ時間長を特定するように設置された時間長決定モジュール４０７と、ビデオ時間長が所定の時間長の閾値を超過しなければ、撮影したビデオを放棄するように設置されたビデオ放棄モジュール４０８と、ビデオ時間長が所定の時間長の閾値を超過すれば、撮影したビデオを記憶するように設置されたビデオ記憶モジュール４０９と、をさらに備える。
【００６４】
ある実施例において、該装置は、認証情報に応じてオリジナルビデオをマーキングするように、撮影したビデオにおける、オリジナルオディオに基づいて撮影したオリジナルビデオの認証情報を取得するように設置された認証モジュール４１０をさらに備える。
【００６５】
上記ビデオ処理装置は、本開示の任意の実施例に係るビデオ処理方法を実行することができ、方法の実行に対応する機能モジュールおよび効果を備える。
【００６６】
図８は、本開示の実施例に係る端末のハードウェアの構成模式図である。端末は、様々な形態によって実施することができる。本開示の実施例における端末は、携帯電話、スマートフォン、ノートパソコン、デジタル放送受信機、個人用デジタル補助装置（Ｐｅｒｓｏｎａｌ  Ｄｉｇｉｔａｌ  Ａｓｓｉｓｔａｎｔ、ＰＤＡ）、タブレット（Ｐｏｒｔａｂｌｅ  Ａｎｄｒｏｉｄ  Ｄｅｖｉｃｅ、ＰＡＤ）、携帯型マルチメディアプレイヤ（Ｐｏｒｔａｂｌｅ  Ｍｕｌｔｉｍｅｄｉａ  Ｐｌａｙｅｒ、ＰＭＰ）、ナビゲーション装置、車載端末設備、車載表示端末、車載電子ミラー等の携帯端末、及びデジタルテレビ（Ｔｅｌｅｖｉｓｉｏｎ、ＴＶ）、デスクトップ型コンピュータ等の固定端末を含んでもよい。
【００６７】
図８が示すように、端末５００は、無線通信ユニット５１０と、音声/ビデオ（Ａｕｄｉｏ/Ｖｄｉｅｏ、Ａ/Ｖ）入力ユニット５２０と、ユーザ入力ユニット５３０、検知ユニット５４０と、出力ユニット５５０、メモリ５６０と、インタフェースユニット５７０と、プロセッサ５８０と、電源ユニット５９０等を備えてもよい。図８は、様々なコンポネントを有する端末を示しているが、全てのコンポネントを実施することが要求されていない。代替的により多い又はより少ないコンポネントを実施してもよい。
【００６８】
ある実施例において、無線通信ユニット５１０は、端末５００と無線通信システム、又はネットワークとの間の無線通信を許可する。Ａ/Ｖ入力ユニット５２０は、音声又はビデオ信号を受信するように設置される。ユーザ入力ユニット５３０は、ユーザが入力したコマンドに応じてキー入力データを生成して、端末の少なくとも１つの操作を制御するように設置される。検知ユニット５４０は、端末５００の現在状態、端末５００の位置、端末５００に対するユーザのタッチ入力の有無、端末５００の配向、端末５００の加速又は減速移動及び方向等を検知するとともに、端末５００の操作を制御するためのコマンド又は信号を生成する。インタフェースユニット５７０は、少なくとも１つの外部装置と端末５００とを通信可能に接続するインタフェースとして使用される。出力ユニット５５０は、視覚、オディオ及び/或いは触覚の方式で出力信号を提供するように設置される。メモリ５６０は、プロセッサ１０８０が実行する処理と、操作を制御するソフトウェアプログラム等を記憶する、或いは、出力した又は出力しようとするデータを一時的に記憶するように設置されてもよい。メモリ５６０は、少なくとも１種類の記憶媒体を備えてもよい。そして、端末５００は、ネットワーク接続を介してメモリ５６０の記憶機能を実行するネットワーク記憶装置と協力することができる。プロセッサ５８０は、一般的に端末設備の全般操作を制御する。また、プロセッサ５８０は、マルチメディアデータを再現又は再生するように設置されたマルチメディアモジュールを備えてもよい。プロセッサ５８０は、タッチパネルにおいて実行した手書き入力、或いはピクチャ描画入力を文字や画像として識別するように、モード識別処理を実行することができる。電源ユニット５９０は、プロセッサ５８０の制御によって、外部電力又は内部電力を受電して、少なくとも１つの素子やコンポネントを操作するために必要な適切な電力を提供する。上記端末が備える１つ又は複数のプログラムが、１つ又は複数のプロセッサ５８０に実行されるとき、本開示の任意の実施例に係る、端末に応用されるビデオ処理方法を実現することができる。該方法は、例えば、ユーザが撮影したビデオを取得して、前記ビデオおけるオリジナルオディオに基づいて撮影したオリジナルビデオをマーキングすることと、前記マーキングに応じて、前記オリジナルビデオに対してデータ分離を行い、前記オリジナルビデオにおけるオリジナルオディオを抽出することとを含めてもよい。前記抽出されたオリジナルオディオは、他のユーザがビデオ撮影を行うために用いられる。
【００６９】
本開示の実施例は、さらにコンピュータ読み取り可能な記憶媒体を提供する。コンピュータ読み取り可能な記憶媒体に、コンピュータプログラムが記憶されており、該コンピュータプログラムがコンピュータプロセッサによって実行されるとき、端末に適用されるビデオ処理方法を実現する。該方法は、ユーザが撮影したビデオを取得して、前記ビデオおけるオリジナルオディオに基づいて撮影したオリジナルビデオをマーキングすることと、前記マーキングに応じて、前記オリジナルビデオに対してデータ分離を行い、前記オリジナルビデオにおけるオリジナルオディオを抽出することとを含めてもよい。前記抽出されたオリジナルオディオは、他のユーザがビデオ撮影を行うために用いられる。
【００７０】
本開示の実施例に係るコンピュータ読み取り可能な記憶媒体であって、コンピュータ読み取り可能な記憶媒体内のコンピュータプログラムがコンピュータプロセッサによって実行されるとき、上記のような方法や操作に限らず、本開示の任意の実施例に係る、端末に適用されるビデオ処理方法の関連操作を実行することができる。
【００７１】
本開示の実施例にかかるコンピュータ記憶媒体は、１つ又は複数のコンピュータ読み取り可能な媒体の任意な組み合わせを採用することができる。コンピュータ読み取り可能な媒体は、コンピュータ読み取り可能な信号媒体やコンピュータ読み取り可能な記憶媒体であってもよい。コンピュータ読み取り可能な記憶媒体は、例えば、電気、磁気、光、電磁気、赤外線、又は半導体のシステム、装置又はデバイス、又は以上の任意の組み合わせであってよいが、これらに限られない。コンピュータ読み取り可能な記憶媒体のより具体的な例（包括的なリストではない）として、１つ又は複数のリード線を有する電気的接続、携帯型コンピュータ磁気ディスク、ハードディスク、ランダムアクセスメモリ（Ｒａｎｄｏｍ  Ａｃｃｅｓｓ  Ｍｅｍｏｒｙ、ＲＡＭ）、リードオンリーメモリ（Ｒｅａｄ−Ｏｎｌｙ  Ｍｅｍｏｒｙ、ＲＯＭ）、リムーバブルプログラマブル読み出しメモリ（Ｅｒａｓａｂｌｅ  Ｐｒｏｇｒａｍｍａｂｌｅ  Ｒｅａｄ−Ｏｎｌｙ  Ｍｅｍｏｒｙ、ＥＰＲＯＭ）又はフラッシュメモリ、光ファイバー、携帯型コンパクトディスクリードオンリーメモリ（Ｃｏｍｐａｃｔ  Ｄｉｓｃ  Ｒｅａｄ−Ｏｎｌｙ  Ｍｅｍｏｒｙ、ＣＤ−ＲＯＭ）、光メモリデバイス、磁気メモリデバイス、又はこれらの任意の組み合わせを含む。本開示において、コンピュータ読み取り可能な記憶媒体は、プログラムを含む又は記憶する任意の有形媒体であってもよい。該プログラムは、指令実行システム、装置又はデバイスに利用されてもよく、或いは、指令実行システム、装置又はデバイスと組み合わせて利用されてもよい。
【００７２】
コンピュータ読み取り可能な信号媒体は、ベースバンド又は搬送波の一部として伝播するデータ信号を含んでもよい。コンピュータ読み取り可能な信号媒体には、コンピュータ読み取り可能なプログラムコードが担持されている。このような伝播するデータ信号は、多様な形態を採用ことができ、電磁気信号、光信号、又は上記の任意の組み合わせを含むが、これらに限られない。コンピュータ読み取り可能な信号媒体は、コンピュータ読み取り可能な記憶媒体以外の任意のコンピュータ読み取り可能な媒体であってもよい。該コンピュータ読み取り可能な媒体は、指令実行システム、装置又はデバイスに利用され、或いは、指令実行システム、装置又はデバイスと組み合わせて利用されるプログラムを送信、伝播又は伝送することができる。
【００７３】
コンピュータ読み取り可能な媒体に含まれるプログラムコードは、任意の適宜な媒体で伝送されてもよい。無線、電線、光ケーブル、無線周波数（Ｒａｄｉｏ  Ｆｒｅｑｕｅｎｃｙ、ＲＦ）等、又は上記の任意の適宜組み合わせを含むが、これら限られない。
【００７４】
本開示の操作を実行するためのコンピュータプログラムコードは、１つ又は複数のプログラミング言語又はその組み合わせでコーディングされてもよい。前記プログラミング言語は、Ｊａｖａ、Ｓｍａｌｌｔａｌｋ、Ｃ＋＋等のオブジェクト向けのプログラミング言語を含め、さらに一般的なプロセス式プログラミング言語、例えば、「Ｃ」言語又は類似的なプロセス式プログラミング言語を含む。プログラムコードは、ユーザのコンピュータ上で全体的に実行されてもよく、ユーザのコンピュータ上で部分的に実行されてもよく、ユーザのコンピュータ上でスタンドアローン・ソフトウェア・パッケージとして実行されてもよい。ユーザのコンピュータ上で部分的に実行されるとともに、遠隔コンピュータ上で部分的に実行されてもよい。又は遠隔コンピュータやサーバで全体的に実行されてもよい。遠隔コンピュータに関する場合、遠隔コンピュータは、ローカル・エリア・ネットワーク（Ｌｏｃａｌ  Ａｒｅａ  Ｎｅｔｗｏｒｋ、ＬＡＮ）又はワイド・エリア・ネットワーク（Ｗｉｄｅ  Ａｒｅａ  Ｎｅｔｗｏｒｋ、ＷＡＮ）を含む任意の種類のネットワークを通じて、ユーザのコンピュータに接続することができ、或いは外部コンピュータ（例えば、インターネット・サービス・プロバイダを利用してインターネットを通じて）に接続することができる。
【符号の説明】
【００７５】
401  マーキングモジュール
402  分離モジュール
404  オリジナル記憶モジュール
405  ビデオタイプ特定モジュール
406  撮影モジュール
407  時間長特定モジュール
408  ビデオ放棄モジュール
409  ビデオ記憶モジュール
410  認証モジュール
510  無線通信ユニット
520  Ａ／Ｖ入力ユニット
530  ユーザ入力ユニット
540  検知ユニット
550  出力ユニット
560  メモリ
570  インタフェースユニット
580  プロセッサ
590  電源ユニット
【図１】
2021530905.tif 000003
【図２】
2021530905.tif 000004
【図３ａ】
2021530905.tif 000005
【図３ｂ】
2021530905.tif 000006
【図４】
2021530905.tif 000007
【図５】
2021530905.tif 000008
【図６】
2021530905.tif 000009
【図７】
2021530905.tif 000010
【図８】
2021530905.tif 000011
【国際調査報告】
2021530905.tif 000012
2021530905.tif 000013
2021530905.tif 000014
2021530905.tif 000015